(57)【要約】【課題】外部からの信号が入力される入力部を複数設けた場合にも、制御部の動作不良や同じ制御を複数回行う動作不良を防止する。【解決手段】ホームシアターシステム２は、ＤＶＤプレーヤ３、赤外線受光ユニット４、モニタ５、スピーカ６、リモコン７を備える。筐体１１の内部に、ＣＰＵ２１、調節用ＩＣ２２が設けられた制御基板２０を組み込む。筐体１１の前面に、プレーヤ受光センサ２３を設ける。赤外線受光ユニット４に、ユニット受光センサ２５を設ける。赤外線受光ユニット４に、接続プラグ２７を取り付けた接続ケーブル２６を接続する。筐体１１の後面に、接続ジャック２８を設ける。検出回路３５で、接続ジャック２８に接続プラグ２７が挿入されていることが検出されているときには、調節用ＩＣ２２は、赤外線受光ユニット４から入力された赤外線信号のみをＣＰＵ２１に出力する。【選択図】図２
2008103843.tif 000002
【特許請求の範囲】
【請求項１】
外部からの信号が入力される複数の入力部と、
前記複数の入力部に入力された信号に基づいて駆動する駆動部と、
前記複数の入力部から信号が入力され、入力された信号に基づいて前記駆動部の駆動を制御する制御部と、を備えた電子機器において、
前記複数の入力部のうちの予め設定された１つの入力部に、外部から入力された信号を出力する外部機器が接続されているときに、前記外部機器から前記予め設定された入力部に入力された信号を前記制御部に入力し、他の入力部に入力された信号を前記制御部に入力しないように調節する調節手段を備えたことを特徴とする電子機器。
【請求項２】
前記予め設定された入力部に、前記外部機器が接続されたことを検知する検知手段を備え、
前記調節手段は、前記検知手段による検知に応じて、前記他の入力部に入力された信号を前記制御部に入力しないように調節することを特徴とする請求項１記載の電子機器。
【請求項３】
前記予め設定された入力部を、前記外部機器に設けられたプラグが挿入されるジャックから構成したことを特徴とする請求項１または２記載の電子機器。
【請求項４】
前記駆動部及び前記制御部を収納する筐体を備え、
前記予め設定された入力部を、前記筐体の後面に設けたことを特徴とする請求項１ないし３いずれか１つ記載の電子機器。
【請求項５】
前記他の入力部の少なくともいずれかを、前記筐体の前面に設けたことを特徴とする請求項４記載の電子機器。
【請求項６】
前記筐体の前面に設けられた入力部を、外部からの赤外線信号を受光する赤外線受光センサから構成したことを特徴とする請求項５記載の電子機器。
【請求項７】
請求項１ないし６いずれか１つ記載の電子機器と、
前記予め設定された入力部に接続された前記外部機器と、
前記他の入力部及び前記外部機器に入力される信号を出力する信号出力装置と、を備え、
前記制御部は、前記外部機器から前記予め設定された入力部に入力された信号に基づいて、前記駆動部の駆動を制御することを特徴とする電子機器制御システム。
【請求項８】
前記駆動部を、光ディスクに記録されたデータを再生する光ピックアップを有するディスク再生ユニットから構成し、
前記光ピックアップで再生したデータを出力する音声出力装置及び／または画像表示装置を備えたことを特徴とする請求項７記載の電子機器制御システム。
【発明の詳細な説明】
【技術分野】
【０００１】
本発明は、外部から入力される信号に基づいて制御される電子機器及びこれを備えた電子機器制御システムに関するものである。
【背景技術】
【０００２】
電子機器としてのＤＶＤプレーヤは、筐体前面に設けられた各種操作スイッチで操作可能であるとともに、リモコン（Ｒｅｍｏｔｅ  Ｃｏｎｔｒｏｌ）での操作も可能とされている。このため、筐体前面には、リモコンからの信号（赤外線信号）を受光する受光センサが設けられている。受光センサで受光した信号は、ＣＰＵ等の制御部に送られ、ＣＰＵは入力された信号に基づいて、光ピックアップやスピンドルモータ等を有するプレーヤユニットの駆動を制御する。
【０００３】
受光センサで信号を受光できなかった場合には、プレーヤユニットの駆動を制御することができないため、特許文献１では、ＣＤレシーバ装置の筐体の前面と上面とにそれぞれ赤外線受光ユニットを設けるとともに、これらを選択的に切り換える（一方を有効化し、他方を無効化）選択スイッチを設け、筐体の設置向き（縦置き、横置き）に応じて選択スイッチで、どちらの赤外線受光ユニットを有効化するかを切り換えることにより、筐体を縦置き、横置きのいずれの向きで設置した場合にも、確実にリモコンからの信号を受光することができるオーディオデスクトップシステムが提案されている。
【０００４】
しかしながら、特許文献１では、赤外線の届く範囲にＣＤレシーバ装置がない場合には、リモコンでＣＤレシーバ装置の駆動を制御することができない。そこで、特許文献２では、メインルームにＣＤプレーヤ、レシーバ、スピーカ、リモコン、リモコンからの信号を受信する受信器を配置し、サブルームにスピーカ、リモコン、受信器を配置するとともに、レシーバにＣＤプレーヤ、メインルームのスピーカ及びサブルームのスピーカを接続し、メインルームでリモコンを操作した場合には、メインルームの受信器で受信した信号に基づいて、レシーバはＣＤプレーヤで再生した楽曲をメインルームのスピーカから出力し、サブルームでリモコンを操作した場合には、サブルームの受信器で受信した信号に基づいて、レシーバはＣＤプレーヤで再生した楽曲をサブルームのスピーカから出力するオーディオシステム及び音響機器制御方法が提案されている。
【特許文献１】特開２００３−１１１１７２号公報
【特許文献２】特開２００３−４５１６６号公報
【発明の開示】
【発明が解決しようとする課題】
【０００５】
しかしながら、特許文献２では、メインルームとサブルームとで同時にリモコンを操作した場合には、レシーバは、どちらのスピーカに音楽曲を出力すればよいかの判断ができなくなり、動作不良が発生することがあり、問題となっていた。さらに、複数の受信器で信号を受信したときに、その両方の信号に基づいて制御を行った場合には、同じ制御を複数回行うことがあり、問題となっていた。
【０００６】
本発明は、上記課題を解決するためになされたものであり、外部からの信号が入力される入力部を複数設けた場合にも、制御部の動作不良や同じ制御を複数回行う動作不良を防止することができる電子機器及びこれを備えた電子機器制御システムを提供することを目的とする。
【課題を解決するための手段】
【０００７】
上記目的を達成するために、本発明の電子機器は、外部からの信号が入力される複数の入力部と；前記複数の入力部に入力された信号に基づいて駆動する駆動部と；前記複数の入力部から信号が入力され、入力された信号に基づいて前記駆動部の駆動を制御する制御部と；を備えた電子機器において、前記複数の入力部のうちの予め設定された１つの入力部に、外部から入力された信号を出力する外部機器が接続されているときに、前記外部機器から前記予め設定された入力部に入力された信号を前記制御部に入力し、他の入力部に入力された信号を前記制御部に入力しないように調節する調節手段を備えたことを特徴とする。
【０００８】
なお、本発明の電子機器としては、ＤＶＤプレーヤ、ＣＤプレーヤ、アンプ、コンバータ等が挙げられる。また、前記複数の入力部としては、信号が無線で入力されるもの、有線で入力されるものが挙げられる。さらに、前記調節手段は、前記複数の入力部に接続され、前記予め設定された入力部に前記外部機器が接続されていないときには、入力された順に信号を前記制御部に入力し、前記予め設定された入力部に前記外部機器が接続されているときには、前記予め設定された入力部から入力された信号のみを前記制御部に入力することが好ましい。
【０００９】
また、前記予め設定された入力部に、前記外部機器が接続されたことを検知する検知手段を備え、前記調節手段は、前記検知手段による検知に応じて、前記他の入力部に入力された信号を前記制御部に入力しないように調節することが好ましい。
【００１０】
さらに、前記予め設定された入力部を、前記外部機器に設けられたプラグが挿入されるジャックから構成することが好ましい。この場合には、本発明の電子機器と前記外部機器とは、有線で接続される。
【００１１】
また、前記駆動部及び前記制御部を収納する筐体を備え、前記予め設定された入力部を、前記筐体の後面に設けることが好ましい。さらに、前記他の入力部の少なくともいずれかを、前記筐体の前面に設けることが好ましい。また、前記筐体の前面に設けられた入力部を、外部からの赤外線信号を受光する赤外線受光センサから構成することが好ましい。
【００１２】
さらに、本発明の電子機器制御システムは、上記電子機器と；前記予め設定された入力部に接続された前記外部機器と、外部から入力された信号を出力する外部機器と；前記他の入力部及び前記外部機器に入力される信号を出力する信号出力装置と；を備え、前記制御部は、前記外部機器から前記予め設定された入力部に入力された信号に基づいて、前記駆動部の駆動を制御することを特徴とする。なお、前記信号出力装置は、赤外線信号を出力することが好ましく、前記外部機器は、前記信号出力装置から出力された赤外線信号を受光することが好ましい。また、前記信号出力装置を、リモコンから構成することが好ましい。
【００１３】
また、前記駆動部を、光ディスクに記録されたデータを再生する光ピックアップを有するディスク再生ユニットから構成し、前記光ピックアップで再生したデータを出力する音声出力装置及び／または画像表示装置を備えることが好ましい。なお、本発明の電子機器制御システムとしては、ＤＶＤプレーヤ、リモコン、モニタ及びスピーカを備えたホームシアターシステム、ＣＤプレーヤ、リモコン及びスピーカを備えたオーディオシステム等が挙げられる。
【発明の効果】
【００１４】
本発明の電子機器によれば、予め設定された入力部に外部機器が接続されているときに、外部機器から予め設定された入力部に入力された信号を制御部に入力し、他の入力部に入力された信号を制御部に入力しないように調節するから、複数の入力部に信号が入力された場合にも、制御部は、予め設定された入力部に入力された信号でのみ制御を行うため、制御部での誤動作（制御部の動作不良、同じ制御を複数回行う）が発生することがない。
【００１５】
また、予め設定された入力部に、外部機器が接続されたことを検知し、この検知に応じて、他の入力部に入力された信号を制御部に入力しないように調節するから、予め設定された入力部に外部入力機器を接続するだけで、容易に制御の安定化を図ることができる。
【００１６】
さらに、本発明の電子機器制御システムによれば、予め設定された入力部に外部機器が接続されているときに、外部機器から予め設定された入力部に入力された信号を制御部に入力し、他の入力部に入力された信号を制御部に入力しないように調節するから、複数の入力部に信号が入力された場合にも、制御部での誤動作（制御部の動作不良、同じ制御を複数回行う）が発生することがない。
【発明を実施するための最良の形態】
【００１７】
図１及び図２に示すように、本発明を実施したホームシアターシステム（電子機器制御システム）２は、ＤＶＤプレーヤ（電子機器）３、赤外線受光ユニット（外部機器）４、モニタ（画像表示装置）５、スピーカ（音声出力装置）６、リモコン（信号出力装置）７を備える。ＤＶＤプレーヤ３は、接続ケーブル（図示せず）によりモニタ５及びスピーカ６に接続されており、ＤＶＤプレーヤ３で再生した映像データ及び音声データは、モニタ５及びスピーカ６から出力される。スピーカ６は、モニタ５の左右に１個ずつ計２個設けられている。
【００１８】
ＤＶＤプレーヤ３は、ＤＶＤ（図示せず）にアクセスして、ＤＶＤに記録されたデータの記録及び／または再生を行うものであり、筐体１１の内部には、ＤＶＤにデータの記録及び／または再生を行う光ピックアップ１２、及び、筐体１１の前面から露出する位置と筐体１１内部に収納される位置との間でスライドするディスクトレイ１３を有するプレーヤユニット（ディスク再生ユニット）１４が組み込まれている。プレーヤユニット１４は、公知のものであり、その詳細な説明は省略するが、図示しないスピンドルモータ等を有する。
【００１９】
リモコン７は、ＤＶＤプレーヤ３から離れた位置でＤＶＤプレーヤ３を操作するためのものであり、ディスクトレイ１３開閉用の開閉スイッチ、再生スイッチ、停止スイッチ、一時停止スイッチ、１トラック早送りスイッチ、１トラック巻き戻しスイッチ、早送りスイッチ、巻き戻しスイッチ等の各種スイッチが設けられている。リモコン７には、各スイッチを操作したときに、操作したスイッチに応じた赤外線信号を出力する赤外線信号出力部１６が設けられている。
【００２０】
筐体１１の内部には、制御基板２０が組み込まれており、制御基板２０には、ＤＶＤプレーヤ３の駆動を制御するＣＰＵ（制御部）２１、調節用ＩＣ（調節手段）２２等が設けられている。ＣＰＵ２１には、プレーヤユニット１４、調節用ＩＣ２２が接続されている。
【００２１】
筐体１１の前面（ディスクトレイ１３が露出する面）には、リモコン７の赤外線信号出力部１６から出力される赤外線信号を受光するプレーヤ受光センサ（他の入力部）２３が設けられている。プレーヤ受光センサ２３は、調節用ＩＣ２２に接続されており、受光した赤外線信号を調節用ＩＣ２２に入力する。また、筐体１１の前面には、ＬＣＤ、ディスクトレイ１３開閉用の開閉スイッチ、再生スイッチ、停止スイッチ、一時停止スイッチ、１トラック早送りスイッチ、１トラック巻き戻しスイッチ、早送りスイッチ、巻き戻しスイッチ等の各種スイッチ等（図示せず）が設けられており、これらのスイッチは、ＣＰＵ２１に接続されている。ＣＰＵ２１は、各スイッチから入力される信号に基づいて、プレーヤユニット１４の駆動を制御する。
【００２２】
赤外線受光ユニット４は、ＤＶＤプレーヤ３よりも小さく箱状に形成された本体部４ａの前面に、リモコン７から出力される赤外線信号を受光するユニット受光センサ２５が設けられている。赤外線受光ユニット４には、接続ケーブル２６が接続されており、接続ケーブル２６の先端には、接続プラグ２７（図３参照）が取り付けられている。詳しくは後述するように、接続プラグ２７を用いてＤＶＤプレーヤ３と赤外線受光ユニット４とを接続すると、ユニット受光センサ２５で受光した赤外線信号は、調節用ＩＣ２２に入力される。
【００２３】
図３に示すように、筐体１１の後面には、赤外線受光ユニット４と接続するための接続ジャック（予め設定された入力部）２８が設けられている。接続ジャック２８は接続基板２９（図２及び図４参照）に取り付けられており、接続基板２９は、制御基板２０に接続されている。
【００２４】
図３及び図４に示すように、接続ジャック２８は、本体部２８ａに、接続プラグ２７の挿入シャフト２７ａが挿入される挿入口２８ｂが形成されている。本体部２８ａの下面には、接続ジャック２８を接続基板２９に位置決めするための位置決めボス２８ｃが、左右に１個ずつ計２個形成されている。
【００２５】
接続プラグ２７は、赤外線受光ユニット４に接続された接続ケーブル２６の先端に取り付けられており、接続プラグ２７の挿入シャフト２７ａを挿入口２８ｂに挿入すると、ＤＶＤプレーヤ３と赤外線受光ユニット４とが接続され、赤外線受光ユニット４で受光した赤外線信号が、接続ケーブル２６、接続プラグ２７、接続ジャック２８、第２金属板３２、接続基板２９を介して調節用ＩＣ２２に入力される。
【００２６】
接続ジャック２８の内部には、接続基板２９に接続された金属製の第１金属板３１と、接続基板２９に接続された弾性変形可能な薄板金属製の第２金属板３２と、が配されている。第２金属板３２は、第１金属板３１よりも外側に配されている。第１，第２金属板３１，３２は、それぞれ本体部２８ａの下面から突出しており、この突出した部分を接続基板２９に半田付けすることにより、接続基板２９に接続される。
【００２７】
第２金属板３２は、略コ字状に形成され、その一辺は第１金属板３１に接触している。第２金属板３２の第１金属板３１に接触する接触辺３２ａには、挿入口２８ｂに接続プラグ２７が挿入されたときに、接触プラグ２７の挿入シャフト２７ａに当接する凸状の接触部３２ｂが形成されている。接触辺３２ａは、後端部が第１金属板３１に接触している。第２金属板３２は、接触辺３２ａが変形自在となるように、接続ジャック２８の内部に取り付けられている。
【００２８】
図５に示すように、接続ジャック２８の挿入口２８ｂに、接続プラグ２７の挿入シャフト２７ａを挿入すると、接触部３２ｂが挿入シャフト２７ａに当接して、接触辺３２ａが外方（図５における右方）に変形する。接触辺３２ａが外方に変形すると、接触辺３２ａと第１金属板３１との接触が解除される。また、挿入口２８ｂから挿入シャフト２７ａを抜くと、接触辺３２ａが図５における左方に変形して元の形状（図４参照）に戻り、接触辺３２ａが第１金属板３１に接触する。
【００２９】
第２金属板３２には、電気が流れるようにされており、第１金属板３１には、第２金属板３２を介して電気が流れる。接続基板２９には、第１金属板３１に電気が流れていることを検出する検出回路３５が設けられている。
【００３０】
挿入口２８ｂに挿入シャフト２７ａが挿入されていないとき（図４参照）には、第１金属板３１と接触辺３２ａとが接触しており、第２金属板３２を介して第１金属板３１に電気が流れる。このとき、検出回路３５は、第１金属板３１に電気が流れていることを検出している。
【００３１】
一方、挿入口２８ｂに挿入シャフト２７ａが挿入されているとき（図５参照）には、第１金属板３１と接触辺３２ａとの接触が解除され、第１金属板３１には電気が流れない。このとき、検出回路３５は、第１金属板３１に電気が流れていないことを検出している。検出回路３５は、第１金属板３１に電気が流れていないことを検出しているときには、調節用ＩＣ２２に、挿入口２８ｂに挿入シャフト２７ａが挿入されていることを示す挿入検知信号を出力し、第１金属板３１に電気が流れていることを検出しているときには、調節用ＩＣ２２に、挿入口２８ｂに挿入シャフト２７ａが挿入されていないことを示す非挿入検知信号を出力する。
【００３２】
調節用ＩＣ２２は、検出回路３５から非挿入検知信号が入力されている（接続プラグ２７が挿入されていない）ときには、プレーヤ受光センサ２３から入力された赤外線信号のみをＣＰＵ２１に出力する。一方、調節用ＩＣ２２は、検出回路３５から挿入検知信号が入力されている（接続プラグ２７が挿入されている）ときには、接続ケーブル２６、接続プラグ２７、接続ジャック２８、第２金属板３２、接続基板２９を介して赤外線受光ユニット４から入力された赤外線信号のみをＣＰＵ２１に出力する。すなわち、調節用ＩＣ２２は、検出回路３５から挿入検知信号が入力されているときには、プレーヤ受光センサ２３から入力された赤外線信号をＣＰＵ２１に出力しない。本実施形態では、接続ジャック２８に赤外線受光ユニット４が接続されたことを検知する検知手段は、第１金属板３１、第２金属板３２、検出回路３５から構成されている。
【００３３】
ＣＰＵ２１は、調節用ＩＣ２２から入力された信号に基づいて、プレーヤユニット１４の駆動を制御する。光ピックアップ１２で、ＤＶＤに記録されたデータを再生すると、再生したデータ（音声データ及び画像データ）は、図示しない信号処理部に入力され、信号処理部は、入力されたデータに基づいて、モニタ５に画像データを再生表示するとともに、スピーカ６から音声データを出力させる。
【００３４】
上記のように構成されたホームシアターシステム２の作用について、詳しくは、リモコン７を用いてＤＶＤプレーヤ３を操作するときの作用について説明する。図１に示すように、ＤＶＤプレーヤ３を、ユーザがモニタ５を視認しているときにプレーヤ受光センサ２３が視認不能となる位置（リモコン７からの赤外線信号がプレーヤ受光センサ２３に届かない位置）に設置している場合には、ユーザは、ＤＶＤプレーヤ３を操作するときには、リモコン７からの赤外線信号がプレーヤ受光センサ２３に届く位置まで移動する必要があり、移動している間はモニタ５から目線が外れてしまう。このため、ＤＶＤプレーヤ３を、上記したような位置に設置したときには、接続ジャック２８の挿入口２８ｂに接続プラグ２７の挿入シャフト２７ａを挿入し、赤外線受光ユニット４をモニタ５の近く（例えば、上方）に設置する。このとき、赤外線受光ユニット４を、ユーザがモニタ５を視認しているときにユニット受光センサ２５が視認可能となる位置及び向きで設置する。
【００３５】
なお、ＤＶＤプレーヤ３を、ユーザがモニタ５を視認しているときにプレーヤ受光センサ２３が視認不能となる位置に設置する理由としては、モニタ５を視認しているときに、ＤＶＤプレーヤ３のＬＣＤから光が照射されていると気が散るため等が挙げられる。また、赤外線受光ユニット４、モニタ５及びスピーカ６を設置した部屋とは別の部屋に、ＤＶＤプレーヤ３を設置した場合にも、本発明は適用可能である。
【００３６】
挿入口２８ｂに接続プラグ２７が挿入されているときには、第１金属板３１と接触辺３２ａとの接触が解除され、第１金属板３１には電気が流れない。検出回路３５は、第１金属板３１に電気が流れていないことを検出しているときには、調節用ＩＣ２２に挿入検知信号を出力する。
【００３７】
調節用ＩＣ２２は、検出回路３５から挿入検知信号が入力されている（接続プラグ２７が挿入されている）ときには、接続ケーブル２６、接続プラグ２７、接続ジャック２８、第２金属板３２、接続基板２９を介して赤外線受光ユニット４から入力された赤外線信号を調節用ＩＣ２２に出力する。これにより、ユーザは、モニタ５の上方に設置した赤外線受光ユニット４に向けてリモコン７を操作することで、ＤＶＤプレーヤ３を操作することができるため、モニタ５から目線を外すことなく、ＤＶＤプレーヤ３を操作することができる。
【００３８】
また、ＤＶＤプレーヤ３を、図１に示すような位置に設置したときにも、リモコン７から出力された赤外線が、ホームシアターシステム２を設置した室内の壁等に反射してＤＶＤプレーヤ３のプレーヤ受光センサ２３で受光されることがある。この場合にも、挿入口２８ｂに接続プラグ２７が挿入されている（ＤＶＤプレーヤ３と赤外線受光ユニット４とが接続されている）ときには、検出回路３５から挿入検知信号が入力されているため、調節用ＩＣ２２は、プレーヤ受光センサ２３から入力されたプレーヤ赤外線信号をＣＰＵ２１に出力しない。すなわち、ＤＶＤプレーヤ３と赤外線受光ユニット４とが接続されているときには、赤外線受光ユニット４のユニット受光センサ２５で受光した信号のみが、ＣＰＵ２１に入力される。
【００３９】
これにより、ＣＰＵ２１が、赤外線受光ユニット４のユニット受光センサ２５で受光した信号と、ＤＶＤプレーヤ３のプレーヤ受光センサ２３で受光した信号との両方の信号に基づいて、ＤＶＤプレーヤ３を操作することがなく、リモコン７の一度の操作で２回ＤＶＤプレーヤ３が操作されることがない。
【００４０】
リモコン７を操作したときに赤外線信号出力部１６から出力された赤外線信号をプレーヤ受光センサ２３とユニット受光センサ２５との両方で受光した場合に、両方で受光した赤外線信号がＣＰＵ２１に入力されるタイプのＤＶＤプレーヤでは、例えば、リモコン７の１トラック早送りスイッチを操作したときに、１トラック早送りが２回行われることがある。本発明を実施したホームシアターシステム２では、リモコン７の１トラック早送りスイッチを操作したときに赤外線信号出力部１６から出力された赤外線信号を、プレーヤ受光センサ２３とユニット受光センサ２５との両方で受光した場合にも、ユニット受光センサ２５で受光した赤外線信号のみがＣＰＵ２１に入力されるから、１トラック早送りを１回だけ行う。
【００４１】
このように、挿入口２８ｂに接続プラグ２７が挿入されている（ＤＶＤプレーヤ３と赤外線受光ユニット４とが接続されている）場合には、調節用ＩＣ２２は、赤外線受光ユニット４のユニット受光センサ２５から入力された赤外線信号のみをＣＰＵ２１に出力するから、ＣＰＵ２１に２つの赤外線信号が同時に入力されることに起因するＣＰＵ２１の動作不良を防止することができる。さらに、ＤＶＤプレーヤ３のプレーヤ受光センサ２３とユニット受光センサ２５との両方で赤外線信号を受光した場合にも、ＣＰＵ２１は、プレーヤ受光センサ２３で受光した赤外線信号に基づいて、ＤＶＤプレーヤ３の駆動を制御せずに、ユニット受光センサ２５から入力された赤外線信号に基づいてのみ、ＤＶＤプレーヤ３の駆動を制御するから、１回のリモコン７の操作で、２回ＤＶＤプレーヤ３の駆動が制御されることを防止することができる。
【００４２】
また、第１金属板３１、第２金属板３２、検出回路３５を用いて、挿入口２８ｂに接続プラグ２７が挿入されたことを検知し、挿入口２８ｂに接続プラグ２７が挿入されたことを検知した場合には、調節用ＩＣ２２が、赤外線受光ユニット４のユニット受光センサ２５から入力された赤外線信号のみをＣＰＵ２１に出力するようにしたから、挿入口２８ｂに接続プラグ２７を挿入するだけで、ユニット受光センサ２５から入力された赤外線信号のみをＣＰＵ２１に出力することができる。これにより、プレーヤ受光センサ２３とユニット受光センサ２５との両方で赤外線信号を受光した場合に、どちらから入力された赤外線信号をＣＰＵ２１に入力するかを切り換える切換スイッチ等の部材が不要となり、部品削減によるコストダウンを図ることができるとともに、スイッチ操作の手間を省くことができる。
【００４３】
なお、上記実施形態では、ＤＶＤプレーヤ３に、外部からの信号が入力される入力部として、プレーヤ受光センサ２３と接続ジャック２８とを設けたが、入力部の数量は、２個に限定されることなく、３個以上設けるようにしてもよい。この場合にも、接続ジャック２８に接続プラグ２７が挿入されている（ＤＶＤプレーヤ３と赤外線受光ユニット４とが接続されている）ときには、調節用ＩＣ２２は、赤外線受光ユニット４のユニット受光センサ２５から入力された赤外線信号のみをＣＰＵ２１に出力する。
【００４４】
また、接続ジャック２８に代えて、ＤＶＤプレーヤ３の筐体１１の後面に赤外線信号受光センサを設けるとともに、接続ケーブル２６及び接続プラグ２７に代えて、赤外線受光ユニット４に赤外線信号出力部を設け、上記赤外線信号受光センサで、赤外線受光ユニット４の赤外線信号出力部からの信号を受光した場合には、これをＤＶＤプレーヤ３に設けた検知センサで検知し、この検知センサで検知しているときには、調節用ＩＣ２２が、赤外線受光ユニット４から入力された赤外線信号のみをＣＰＵ２１に出力するようにしてもよい。
【００４５】
さらに、上記実施形態では、赤外線受光ユニット４とモニタ５とを別個に設けたが、赤外線受光ユニット４をモニタ５に組み込むようにしてもよい。
【図面の簡単な説明】
【００４６】
【図１】本発明を実施したホームシアターシステムの外観斜視図である。
【図２】ホームシアターシステムの電気的構成を示すブロック図である。
【図３】ＤＶＤプレーヤの背面斜視図である。
【図４】接続ジャックと接続基板と第１金属板と第２金属板とを示す正面図、上面図及び右側面図である。
【図５】挿入口に接続プラグの挿入シャフトを挿入した状態の接続ジャックと第１金属板と第２金属板とを示す上面図である。
【符号の説明】
【００４７】
２  ホームシアターシステム（電子機器制御システム）
３  ＤＶＤプレーヤ（電子機器）
４  赤外線受光ユニット（外部機器）
５  モニタ（画像表示装置）
６  スピーカ（音声出力装置
７  リモコン（信号出力装置）
１２  光ピックアップ
１４  プレーヤユニット（ディスク再生ユニット）
２０  制御基板
２１  ＣＰＵ（制御部）
２２  調節用ＩＣ（調節手段）
２３  プレーヤ受光センサ（他の入力部）
２５  ユニット受光センサ
２７  接続プラグ
２７ａ  挿入シャフト
２８  接続ジャック（予め設定された入力部）
【図１】
2008103843.tif 000003
【図２】
2008103843.tif 000004
【図３】
2008103843.tif 000005
【図４】
2008103843.tif 000006
【図５】
2008103843.tif 000007